(57)【要約】【課題】一方から観察した場合に良好に表示部が観察され、他方から観察した場合には表示部が観察されず、高い透明性を有する表示シート、表示体を提供することである。【解決手段】表示シート１０は、第１の１／４波長位相差層１３と、これよりも背面側に設けられる偏光フィルタ層１４と、第１の１／４波長位相差層１３の表面側の少なくとも一部に設けられ、コレステリック液晶により形成され、表面側から入射する光のうち、所定の波長領域であって一方の回転方向の円偏光を反射する液晶層１２とを備える。第１の１／４波長位相差層１３及び偏光フィルタ層１４は、表面側から入射した一方の回転方向の円偏光を遮蔽し、他方の回転方向の円偏光を透過し、液晶層１２は、反射光によって文字、記号、図形、模様、絵柄の少なくとも１つを表示する表示部１２１を形成し、液晶層１２が反射する一方の回転方向の円偏光の波長領域は、少なくとも１つ以上である。【選択図】図１
2018004677.tif 000002
【特許請求の範囲】
【請求項１】
入射した光の一部を反射して、反射光によって所定の情報を表示する表示シートであって、
入射した光に１／４波長分の位相差を付与する第１の１／４波長位相差層と、
前記第１の１／４波長位相差層よりも背面側に設けられ、所定の偏光面を有する直線偏光を透過し、それ以外を吸収する機能を有する偏光フィルタ層と、
前記第１の１／４波長位相差層の表面側の少なくとも一部に設けられ、コレステリック液晶により形成され、表面側から入射する光のうち、所定の波長領域であって一方の回転方向の円偏光を反射する液晶層と、
を備え、
前記第１の１／４波長位相差層及び前記偏光フィルタ層は、表面側から入射した前記一方の回転方向の円偏光を遮蔽し、他方の回転方向の円偏光を透過し、
前記液晶層は、反射光によって文字、記号、図形、模様、絵柄の少なくとも１つを表示する表示部を形成し、
前記液晶層が反射する前記一方の回転方向の円偏光の前記所定の波長領域は、少なくとも１つ以上であること、
を特徴とする表示シート。
【請求項２】
請求項１に記載の表示シートにおいて、
前記偏光フィルタ層の背面側の少なくとも一部に設けられ、入射した光に１／４波長分の位相差を付与する第２の１／４波長位相差層を備え、
前記第２の１／４波長位相差層及び前記偏光フィルタ層は、背面側から入射した前記一方の回転方向の円偏光を遮蔽し、他方の回転方向の円偏光を透過すること、
を特徴とする表示シート。
【請求項３】
請求項２に記載の表示シートにおいて、
前記第２の１／４波長位相差層よりも背面側の少なくとも一部に設けられ、コレステリック液晶により形成され、背面側から入射する光のうち、所定の波長領域であって前記一方の回転方向を有する円偏光を反射する第２の液晶層を備えること、
を特徴とする表示シート。
【請求項４】
請求項３に記載の表示シートにおいて、
前記第２の液晶層が反射する前記一方の回転方向を有する円偏光の前記所定の波長領域は、少なくとも１つ以上であること、
を特徴とする表示シート。
【請求項５】
請求項１から請求項４までのいずれか１項に記載の表示シートにおいて、
該表示シートの最も表面側又は最も背面側の少なくとも一方に形成され、該表示シートの表面又は背面を保護する保護層を備えること、
を特徴とする表示シート。
【請求項６】
請求項１から請求項５までのいずれか１項に記載の表示シートと、
前記表示シートが少なくとも一方の面に積層され、光透過性を有する透光性基板と、
を備える表示体。
【発明の詳細な説明】
【技術分野】
【０００１】
本発明は、表示シート、表示体に関するものである。
【背景技術】
【０００２】
従来、店舗のショーウィンドウやガラス扉、透明なパーテーションや透明な壁面等の透明基板に対して貼り付ける等が可能な、文字や図形、模様等の表示部が形成された表示シートや、そのような表示部が透明基板に形成された表示体が知られている（例えば、特許文献１〜３参照）。
このような表示シートや表示体は、ショーウィンドウ等に設けた場合に、店舗外の通行人等に店名や商品等の広告や宣伝を行ったり、店舗の入り口等の各種情報の表示を行ったりでき、かつ、採光性も高いため、広く利用されている。
【先行技術文献】
【特許文献】
【０００３】
【特許文献１】特開平６−１２０１７号公報
【特許文献２】実開平３−４５９３２号公報
【特許文献３】実用新案登録第３１５２３３６号公報
【発明の概要】
【発明が解決しようとする課題】
【０００４】
表示シートや表示体の表示する情報に文字が含まれる場合、店舗外の観察者には文字等が良好に視認されるが、店舗内の観察者にとっては文字の左右が逆になる逆さ文字となるので、視認した際に煩わしいという問題があった。
また、店舗内の観察者が、表示シートや表示体が設けられたショーウィンドウ等を通して店舗外を観察する場合に、文字や図形等によって窓等の透明性が失われ、視界の妨げとなるという問題もあった。
【０００５】
本発明の課題は、一方から観察した場合に良好に表示部が観察され、他方から観察した場合には表示部が観察されず、高い透明性を有する表示シート、表示体を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、入射した光の一部を反射して、反射光によって所定の情報を表示する表示シートであって、入射した光に１／４波長分の位相差を付与する第１の１／４波長位相差層（１３）と、前記第１の１／４波長位相差層よりも背面側に設けられ、所定の偏光面を有する直線偏光を透過し、それ以外を吸収する機能を有する偏光フィルタ層（１４）と、前記第１の１／４波長位相差層の表面側の少なくとも一部に設けられ、コレステリック液晶により形成され、表面側から入射する光のうち、所定の波長領域であって一方の回転方向の円偏光を反射する液晶層（１２，３２）と、を備え、前記第１の１／４波長位相差層及び前記偏光フィルタ層は、表面側から入射した前記一方の回転方向の円偏光を遮蔽し、他方の回転方向の円偏光を透過し、前記液晶層は、反射光によって文字、記号、図形、模様、絵柄の少なくとも１つを表示する表示部（１２１）を形成し、前記液晶層が反射する前記一方の回転方向の円偏光の前記所定の波長領域は、少なくとも１つ以上であること、を特徴とする表示シート（１０，２０，３０，４０）である。
請求項２の発明は、請求項１に記載の表示シートにおいて、前記偏光フィルタ層（１４）の背面側の少なくとも一部に設けられ、入射した光に１／４波長分の位相差を付与する第２の１／４波長位相差層（１５）を備え、前記第２の１／４波長位相差層及び前記偏光フィルタ層は、背面側から入射した前記一方の回転方向の円偏光を遮蔽し、他方の回転方向の円偏光を透過すること、を特徴とする表示シート（１０，２０，３０）である。
請求項３の発明は、請求項２に記載の表示シートにおいて、前記第２の１／４波長位相差層（１５）よりも背面側の少なくとも一部に設けられ、コレステリック液晶により形成され、背面側から入射する光のうち、所定の波長領域であって前記一方の回転方向を有する円偏光を反射する第２の液晶層（２２）を備えること、を特徴とする表示シート（２０）である。
請求項４の発明は、請求項３に記載の表示シートにおいて、前記第２の液晶層（２２）が反射する前記一方の回転方向を有する円偏光の前記所定の波長領域は、少なくとも１つ以上であること、を特徴とする表示シートである。
請求項５の発明は、請求項１から請求項４までのいずれか１項に記載の表示シートにおいて、該表示シートの最も表面側又は最も背面側の少なくとも一方に形成され、該表示シートの表面又は背面を保護する保護層（１１，２１）を備えること、を特徴とする表示シート（１０，２０）である。
請求項６の発明は、請求項１から請求項５までのいずれか１項に記載の表示シート（１０，２０，３０，４０）と、前記表示シートが少なくとも一方の面に積層され、光透過性を有する透光性基板（５０）と、を備える表示体（１）である。
【発明の効果】
【０００７】
本発明によれば、一方から観察した場合に良好に表示部が観察され、他方から観察した場合には表示部が観察されず、高い透明性を有する表示シート、表示体を提供することができる。
【図面の簡単な説明】
【０００８】
【図１】第１実施形態の表示シート１０を説明する図である。
【図２】＋Ｚ側から第１の１／４波長位相差層１３、偏光フィルタ層１４、第２の１／４波長位相差層１５に入射する右円偏光、左円偏光の様子を説明する図である。
【図３】−Ｚ側から第２の１／４波長位相差層１５、偏光フィルタ層１４、第１の１／４波長位相差層１３に入射する右円偏光、左円偏光の様子を説明する図である。
【図４】第１実施形態の表示シート１０に入射する右円偏光及び左円偏光について説明する図である。
【図５】第１実施形態の表示シート１０を備える表示体１を説明する図である。
【図６】第１実施形態の表示シート１０の別の形態を説明する図である。
【図７】第２実施形態の表示シート２０を説明する図である。
【図８】第２実施形態の表示シート２０を説明する図である。
【図９】第２実施形態の表示シート２０に入射する右円偏光及び左円偏光の様子を示す図である。
【図１０】第３実施形態の表示シート３０を説明する図である。
【図１１】第４実施形態の表示シート４０を説明する図である。
【発明を実施するための形態】
【０００９】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書中に記載する各部材の寸法等の数値及び材料名等は、実施形態としての一例であり、これに限定されるものではなく、適宜選択して使用してよい。
【００１０】
本明細書中において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、シート面とは、各シートにおいて、そのシート全体として見たときにおける、シートの平面方向となる面を示すものであるとする。なお、板面、フィルム面についても同様とする。
【００１１】
（第１実施形態）
図１は、第１実施形態の表示シート１０を説明する図である。図１（ａ）は、表示シート１０を保護層１１の表面の法線方向から見た図である。図１（ｂ）は、図１（ａ）に一点鎖線で示す直線Ａ１に沿って、表示シート１０の厚み方向に平行に切断した表示シート１０の断面図である。
なお、図１を含め以下に示す各図において、理解を容易にするために、適宜、ＸＹＺ直交座標系を設けて示している。この座標系では、表示シート１０のシート面に平行な方向をＸ方向、Ｙ方向とし、それぞれ、図１（ａ）における左右方向をＸ方向（右側を＋Ｘ側、左側を−Ｘ側）、上下方向をＹ方向（上側を＋Ｙ側、下側を−Ｙ側）とする。また、表示シート１０の厚み方向をＺ方向（図１（ｂ）における上下方向の上側（表面側）を＋Ｚ側、下側（背面側）を−Ｚ側）とし、このＺ方向は、表示シート１０のシート面に直交する。また、前述の一点鎖線で示される直線Ａ１は、Ｙ方向に平行である。
本実施形態では、表示シート１０は、Ｚ方向から見た外形が矩形形状である例を挙げて説明するが、円形形状や楕円形形状、三角形形状や他の多角形形状等としてもよく、使用環境や使用用途、表示する内容等に応じて適宜その外形を設定してよい。
【００１２】
図１に示すように、表示シート１０は、保護層１１、液晶層１２、第１の１／４波長位相差層１３、偏光フィルタ層１４、第２の１／４波長位相差層１５を備えており、これらが積層されて形成されている。以下、各層について説明する。
保護層１１は、表示シート１０の一方の面（＋Ｚ側の面）を形成する層であり、光透過性を有し、かつ、液晶層１２及び第１の１／４波長位相差層１３を保護する層である。また、保護層１１は、第１の１／４波長位相差層１３の＋Ｚ側の面に部分的に形成された液晶層１２による凹凸を埋め、表示シート１０の一方の面（＋Ｚ側の面）を平坦化している。
保護層１１は、光透過性を有する樹脂製の部材である。保護層１１は、光に対して異方性を有しないことが好ましい。このような保護層１１としては、無延伸のＰＥＴ（ポリエチレンテレフタレート）製やＴＡＣ（トリアセチルセルロース）製のシート状の部材、ハードコート用の紫外線硬化型樹脂製の層等を用いることができる。
【００１３】
液晶層１２は、第１の１／４波長位相差層１３の＋Ｚ側の少なくとも一部に形成された層であり、文字や記号、図形、模様、絵柄等を表示する表示部１２１を形成する層である。この液晶層１２は、表示部１２１の表示に合わせた形状に形成されている。
本実施形態では、一例として、液晶層１２による表示部１２１が、図１（ａ）に示すように、＋Ｚ側から見たときに、図形の「円」と数字の「２」とを表示する例を挙げて説明するが、他の文字や記号、図形、模様、絵柄等としてもよい。
【００１４】
液晶層１２は、コレステリック液晶による重合性液晶材料による液晶層により形成される。この液晶層１２は、液晶のらせんピッチと等しい所定の波長領域であって、かつ、液晶の旋回方向に一致する回転方向の円偏光成分を選択的に反射し、それ以外の波長領域の円偏光成分や液晶の旋回方向とは逆の回転方向の円偏光成分を透過させる機能を有している。
液晶層１２は、＋Ｚ側から入射する光に含まれる、所定の波長領域であって、かつ、その液晶の旋回方向に一致する回転方向の円偏光成分を選択的に反射することよって、その反射光により、表示部１２１を＋Ｚ側の観察者に対して視認可能に表示する。
前述のように、液晶層１２は、液晶のらせんピッチに等しい波長領域の光を反射する。したがって、液晶層１２での反射光の色、即ち、表示部１２１の表示する色は、液晶層１２の厚さを変化させることにより、適宜設定可能である。
【００１５】
本実施形態の液晶層１２は、＋Ｚ側から入射する赤色光領域の右円偏光を反射するように液晶のらせんピッチや層厚、液晶の旋回方向が設定され、それ以外の波長領域の右円偏光や、左円偏光を透過する。したがって、＋Ｚ側から表示シート１０を観察する観察者には、表示シート１０の表示部１２１は、赤色に見える。
なお、液晶層１２は、反射する光の波長領域を上記以外の波長領域に適宜設定してもよいし、左円偏光を反射して右円偏光を透過する形態としてもよい。
【００１６】
この液晶層１２は、例えば、光に対して異方性を有しない透明樹脂フィルム等にコレステリック液晶を塗布し、所定のらせんピッチとなるように厚さ等を調整し、その旋回方向を固定化する等して形成されたフィルム部材等を、表示部１２１の形状に合わせて裁断する等し、第１の１／４波長位相差層１３の＋Ｚ側の面に接着剤等により固定されて形成することができる。
【００１７】
第１の１／４波長位相差層１３は、液晶層１２よりも−Ｚ側に設けられた層である。
第１の１／４波長位相差層１３は、＋Ｚ側及び−Ｚ側から入射した光に対して、電界の振動方向（偏光面）に１／４波長分の位相差を生じさせる機能を有する。したがって、第１の１／４波長位相差層１３を透過した円偏光は、直線偏光となり、第１の１／４波長位相差層１３を透過した直線偏光は、円偏光となる。
このような第１の１／４波長位相差層１３としては、汎用の１／４波長板等を用いることができる。
【００１８】
偏光フィルタ層１４は、第１の１／４波長位相差層１３の−Ｚ側に設けられた層である。偏光フィルタ層１４は、その透過軸方向と平行な偏光面を有する直線偏光成分を透過し、透過軸方向と直交する方向の偏光面を有する直線偏光成分を吸収するという機能を有する、いわゆるシート・ポラライザー型の偏光子である。
このような偏光フィルタ層１４としては、汎用の偏光板等を用いることができる。
【００１９】
第２の１／４波長位相差層１５は、偏光フィルタ層１４の−Ｚ側に設けられた層である。第２の１／４波長位相差層１５は、前述の第１の１／４波長位相差層１３と同様に、＋Ｚ側及び−Ｚ側から入射した光に対して、電界の振動方向（偏光面）に１／４波長分の位相差を生じさせる機能を有する。したがって、第２の１／４波長位相差層１５を透過した円偏光は、直線偏光となり、第２の１／４波長位相差層１５を透過した直線偏光は、円偏光となる。
このような第２の１／４波長位相差層１５としては、前述の第１の１／４波長位相差層１３と同様に、汎用の１／４波長板等を用いることができる。
【００２０】
前述のように、第１の１／４波長位相差層１３及び第２の１／４波長位相差層１５は、透過する光に対して、１／４波長分の位相差を生じさせる機能を有する。また、偏光フィルタ層１４は、その透過軸方向に平行な偏光面を有する直線偏光を透過し、透過軸方向に直交する偏光面を有する直線偏光を吸収する機能を有する。
本実施形態では、上記機能を有する第１の１／４波長位相差層１３と偏光フィルタ層１４と第２の１／４波長位相差層１５が積層されることにより、これら３層の積層体に対して＋Ｚ側又は−Ｚ側から入射する左円偏光を透過し、右円偏光を吸収するという機能を発揮している。
【００２１】
即ち、第１の１／４波長位相差層１３の光学軸と偏光フィルタ層１４の透過軸とは、＋Ｚ側から第１の１／４波長位相差層１３及び偏光フィルタ層１４に入射する左円偏光を透過し、右円偏光を吸収するように、設定されている。そのため、左円偏光が＋Ｚ側から第１の１／４波長位相差層１３を透過して得られた直線偏光は、その偏光面が偏光フィルタ層１４の透過軸方向に平行であり、右円偏光が＋Ｚ側から第１の１／４波長位相差層１３を透過して得られた直線偏光は、その偏光面が偏光フィルタ層１４の透過軸方向に直交する。
また、第２の１／４波長位相差層１５の光学軸と偏光フィルタ層１４の透過軸とは、第２の１／４波長位相差層１５及び偏光フィルタ層１４に−Ｚ側から入射する左円偏光を透過し、右円偏光を吸収するように、設定されている。そのため、左円偏光が−Ｚ側から第２の１／４波長位相差層１５を透過して得られた直線偏光は、その偏光面が偏光フィルタ層１４の透過軸方向に平行であり、右円偏光が−Ｚ側から第２の１／４波長位相差層１５を透過して得られた直線偏光は、その偏光面が偏光フィルタ層１４の透過軸方向に直交する。
以下、各層に入射した各円偏光について説明する。
【００２２】
図２は、＋Ｚ側から第１の１／４波長位相差層１３、偏光フィルタ層１４、第２の１／４波長位相差層１５に入射する右円偏光、左円偏光の様子を説明する図である。図２（ａ）では、左円偏光の様子を示し、図２（ｂ）では、右円偏光の様子を示している。
図３は、−Ｚ側から第２の１／４波長位相差層１５、偏光フィルタ層１４、第１の１／４波長位相差層１３に入射する右円偏光、左円偏光の様子を説明する図である。図３（ａ）では、左円偏光の様子を示し、図３（ｂ）では、右円偏光の様子を示している。
【００２３】
図２（ａ）に示すように、左円偏光Ｌａ１は、＋Ｚ側から第１の１／４波長位相差層１３に入射してこれを透過すると、１／４波長分の位相差が生じ、直線偏光Ｌａ２となる。この直線偏光Ｌａ２は、その偏光面が偏光フィルタ層１４の透過軸方向に対して平行であるので、偏光フィルタ層１４を透過する。
そして、直線偏光Ｌａ２は、第２の１／４波長位相差層１５に入射し、さらに１／４波長分の位相差が生じて右円偏光Ｌａ３となって、第２の１／４波長位相差層１５から出射する。
また、図２（ｂ）に示すように、右円偏光Ｌｂ１が、＋Ｚ側から第１の１／４波長位相差層１３に入射してこれを透過すると、１／４波長分の位相差が生じ、直線偏光Ｌｂ２となる。直線偏光Ｌｂ２は、その偏光面が偏光フィルタ層１４の透過軸方向に対して直交するため、偏光フィルタ層１４に入射して吸収される。
【００２４】
図３（ａ）に示すように、−Ｚ側から左円偏光Ｌｃ１が第２の１／４波長位相差層１５に入射してこれを透過すると、１／４波長分の位相差が生じ、直線偏光Ｌｃ２となる。直線偏光Ｌｃ２は、その偏光面が偏光フィルタ層１４の透過軸方向に対して平行であるので、偏光フィルタ層１４を透過する。
そして、直線偏光Ｌｃ２は、第１の１／４波長位相差層１３に入射し、さらに１／４波長分の位相差が生じて、第１の１／４波長位相差層１３から右円偏光Ｌｃ３となって出射する。
また、図３（ｂ）に示すように、−Ｚ側から右円偏光Ｌｄ１が第２の１／４波長位相差層１５に入射し、これを透過すると、１／４波長分の位相差が生じ、直線偏光Ｌｄ２となる。直線偏光Ｌｄ２は、その偏光面が偏光フィルタ層１４の透過軸方向に対して直交するので、偏光フィルタ層１４に入射して吸収される。
【００２５】
図４は、第１実施形態の表示シート１０に入射する右円偏光及び左円偏光について説明する図である。図４（ａ）は、表示シート１０に対して＋Ｚ側から右円偏光及び左円偏光が入射する場合を示し、図４（ｂ）は、表示シート１０に対して−Ｚ側から右円偏光及び左円偏光が入射する場合を示している。
一般に、自然光中には、右円偏光成分と左円偏光成分とが略同量含まれている。以下の説明における右円偏光、左円偏光は、自然光中の右円偏光成分及び左円偏光成分に相当するものとしてよい。
【００２６】
まず、表示シート１０に対して＋Ｚ側から入射する右円偏光Ｌ１１，Ｌ３１について説明する。
図４（ａ）に示すように、表示シート１０に＋Ｚ側から入射した右円偏光Ｌ１１は、保護層１１を透過して液晶層１２に入射する。前述のように、保護層１１は、光に対して異方性を有していないので、保護層１１透過後も、右円偏光Ｌ１１は、その偏光状態が維持される。
液晶層１２は、本実施形態では赤色光の波長領域の右円偏光Ｌ１１を反射する。したがって、赤色光領域の波長の右円偏光Ｌ１１が液晶層１２で反射し、＋Ｚ側へ出射する。
また、液晶層１２が反射しない波長領域の右円偏光Ｌ１１は、液晶層１２を透過し、第１の１／４波長位相差層１３を透過して直線偏光となり、偏光フィルタ層１４に入射して吸収される。
【００２７】
また、表示シート１０に対して＋Ｚ側から入射して、保護層１１を透過して液晶層１２に入射せずに第１の１／４波長位相差層１３に入射した右円偏光Ｌ３１は、第１の１／４波長位相差層１３を透過して直線偏光となり、偏光フィルタ層１４に入射して吸収される。
【００２８】
次に、表示シート１０に対して＋Ｚ側から入射する左円偏光Ｌ２１，Ｌ４１について説明する。
前述のように、保護層１１は、光に対して異方性を有していないので、保護層１１透過後も、左円偏光Ｌ２１，Ｌ４１は、その偏光状態が維持される。
保護層１１を透過し、液晶層１２を透過せずに第１の１／４波長位相差層１３に入射した左円偏光Ｌ２１は、第１の１／４波長位相差層１３を透過して直線偏光となり、偏光フィルタ層１４を透過し、第２の１／４波長位相差層１５に入射し、右円偏光Ｌ２３となって出射する。
【００２９】
また、保護層１１を透過して液晶層１２に入射した左円偏光Ｌ４１は、前述のように、その回転方向が液晶層１２の旋回方向とは逆であり、一致しないので、液晶層１２を透過する。このとき、液晶層１２を透過した後も、左円偏光Ｌ４１の偏光状態（回転方向）は維持される。
液晶層１２を透過した左円偏光Ｌ４１は、前述の左円偏光Ｌ２１と同様に、第１の１／４波長位相差層１３を透過して直線偏光となり、偏光フィルタ層１４を透過し、第２の１／４波長位相差層１５を透過して右円偏光Ｌ４３となって、表示シート１０の−Ｚ側に出射する。
【００３０】
次に、表示シート１０に対して−Ｚ側から右円偏光、左円偏光が入射する場合について説明する。
図４（ｂ）に示すように、表示シート１０に−Ｚ側から入射した右円偏光Ｌ５１は、第２の１／４波長位相差層１５を透過して、直線偏光となり、偏光フィルタ層１４によって吸収される。
また、図４（ｂ）に示すように、表示シート１０に−Ｚ側から入射した左円偏光Ｌ６１，Ｌ８１は、第２の１／４波長位相差層１５によって直線偏光となり、偏光フィルタ層１４を透過し、第１の１／４波長位相差層１３を透過して右円偏光Ｌ６３，Ｌ８３となる。
そして、液晶層１２に入射しない右円偏光Ｌ６３は、保護層１１を透過して、表示シート１０の＋Ｚ側に出射する。また、液晶層１２に入射した右円偏光Ｌ８３は、その進行方向において、回転方向が液晶層１２の旋回方向と逆であり、一致しないので液晶層１２を透過し、保護層１１を透過して、表示シート１０の＋Ｚ側に出射する。
【００３１】
上述のように、表示シート１０に＋Ｚ側から入射した右円偏光Ｌ１１のうち、赤色光領域の右円偏光Ｌ１１は、液晶層１２で反射して＋Ｚ側に出射する。したがって、表示シート１０の＋Ｚ側に位置する観察者には、液晶層１２での反射光により、表示部１２１が所定の色（本実施形態では赤色）で観察される。なお、−Ｚ側から表示シート１０に入射した左円偏光Ｌ８１は、右円偏光Ｌ８３となって液晶層１２を透過して＋Ｚ側へ出射する。したがって、表示部１２１は、不透明ではなく、やや透明性を有しているが、視認に影響はない。
また、−Ｚ側から表示シート１０に入射した左円偏光Ｌ６１は、右円偏光Ｌ６３となって＋Ｚ側へ出射する。したがって、表示シート１０の＋Ｚ側に位置する観察者は、表示シート１０の液晶層１２が形成されていない部分に関しては、表示シート１０を通して向こう側（−Ｚ側）の景色を視認することができる。
【００３２】
一方、上述のように、表示シート１０に−Ｚ側から入射した右円偏光Ｌ５１は、液晶層１２に到達する前に偏光フィルタ層１４によって吸収され、−Ｚ側から入射した左円偏光Ｌ６１，Ｌ８１は、液晶層１２を透過する。したがって、−Ｚ側から表示シート１０に入射した光は、液晶層１２で−Ｚ側に反射されることがない。また、表示シート１０よりも−Ｚ側に位置する観察者には、＋Ｚ側から表示シート１０に入射した左円偏光Ｌ２１，Ｌ４１が、液晶層１２の有無に関わらず到達する。
よって、表示シート１０よりも−Ｚ側に位置する観察者は、液晶層１２が形成する表示部１２１を視認することはなく、かつ、液晶層１２の有無に関わらず、表示シート１０を通して向こう側（＋Ｚ側）の景色を視認することができる。
以上のことから、表示シート１０の−Ｚ側に位置する観察者は、表示部１２１を視認することなく、表示シート１０の透明性が高く、表示シート１０を通して向こう側（＋Ｚ側）を良好に視認できる。
【００３３】
図５は、第１実施形態の表示シート１０を備える表示体１を説明する図である。図５では、表示体１及び表示シート１０の厚み方向（Ｚ方向）と上下方向（Ｙ方向）とに平行な断面の様子を示している。
図５に示すように、表示体１は、第１実施形態の表示シート１０と、接合層５１と、透明板５０とを備えている。
透明板５０は、光透過性の高い板状の部材であり、ガラスや樹脂により形成される。
接合層５１は、透明板５０と表示シート１０とを接合する層であり、光透過性の高い樹脂製の粘着剤又は接着剤により形成されている。
【００３４】
本実施形態の表示体１は、表示シート１０の−Ｚ側の面を接合層５１によりガラス板である透明板５０の＋Ｚ側の面に接合した形態であり、店舗等のショーウィンドウである。
このとき、表示体１の＋Ｚ側が店舗外側であり、−Ｚ側が店舗内側となっている。この表示体１は、液晶層１２による表示部１２１により、店舗名や電話番号等の文字や記号、図形等を表示してもよいし、店内への目隠し用に各種図形や模様等を表示してもよい。
なお、表示体１は、表示シート１０の＋Ｚ側の面が接合層５１により透明板５０の−Ｚ側の面に接合される形態としてもよい。
【００３５】
本実施形態によれば、表示シート１０及び表示体１は、透明性を有し、かつ、＋Ｚ側に位置する観察者には、液晶層１２による文字や図形等の表示部１２１を表示でき、−Ｚ側に位置する観察者には、表示部１２１を視認させることなく、高い透明性を有している。
したがって、本実施形態のように表示シート１０及び表示体１を店舗等のショーウィンドウに適用した場合には、店舗外の観察者には、ショーウィンドウに店舗名等を表示でき、店舗内の観察者からはショーウィンドウが高い透明を有しており、良好に店舗外を観察できる。また、店舗内の観察者には、店舗名等が逆さ文字となって観察されることがない。
さらに、本実施形態のように表示シート１０及び表示体１を店舗等のショーウィンドウに適用した場合には、例えば、店舗外から店舗内を観察しにくくする目隠しシート等としても使用することができる。
【００３６】
（第１実施形態の別の形態）
図６は、第１実施形態の表示シート１０の別の形態を説明する図である。図６（ａ）では、前述の図１（ｂ）で示した表示シート１０の断面に相当する断面を示している。図６（ｂ）では、第１実施形態の表示シート１０の別の形態を用いた表示体１を示し、表示体１及び表示シート１０の厚み方向（Ｚ方向）と上下方向（Ｙ方向）とに平行な断面の様子を示している。
図６（ａ）に示すように、表示シート１０は、接合層１６、液晶層１２、第１の１／４波長位相差層１３、偏光フィルタ層１４、第２の１／４波長位相差層１５を備えている。
接合層１６は、光透過性の高い樹脂製の粘着剤又は接着剤により形成された層であり、表示シート１０の＋Ｚ側の面を形成している。また、接合層１６は、液晶層１２による凹凸を埋め、表示シート１０の＋Ｚ側の面を平坦化している。
図６（ｂ）に示すように、この接合層１６を備える表示シート１０は、その接合層１６を介して透明板５０に接合され、表示体１を形成する。
【００３７】
このような形態とすることにより、表示体１の層数を削減できる。
また、このような表示体１を店舗等のショーウィンドウに用いた場合等に、表示シート１０を店舗内に配置することができ、表示シートが風雨等により劣化することを防止できる。さらに、店舗内から表示シート１０の貼り替え等も可能であり、貼り替え作業等が容易に行える。
【００３８】
（第２実施形態）
図７及び図８は、第２実施形態の表示シート２０を説明する図である。
図７（ａ）は、第２実施形態の表示シート２０を＋Ｚ側から見た平面図であり、図７（ｂ）は第２実施形態の表示シート２０を−Ｚ側から見た平面図である。
図８は、図７（ａ）に一点鎖線で示されるＹ方向に平行な直線Ａ２及び厚み方向（Ｚ方向）に平行な断面での表示シート２０の断面図である。
この表示シート２０は、前述の液晶層１２に加え、さらに第２液晶層２２を第２の１／４波長位相差層１５の−Ｚ側にも備えている点が、前述の第１実施形態の表示シート１０とは異なるが、それ以外は前述の第１実施形態の表示シート１０と同様の形態である。したがって、前述した第１実施形態と同様の機能を果たす部分には、同一の符号又は末尾に同一の符号を付して、重複する説明を適宜省略する。
表示シート２０は、＋Ｚ側から順に、保護層１１、液晶層１２、第１の１／４波長位相差層１３、偏光フィルタ層１４、第２の１／４波長位相差層１５、第２液晶層２２、第２保護層２１を備えている。
表示シート２０は、前述の第１実施形態と同様に、表示体１に適用することが可能である。
【００３９】
第２液晶層２２は、第２の１／４波長位相差層１５よりも−Ｚ側の少なくとも一部に設けられた層である。この第２液晶層２２は、前述の液晶層１２と同様に、コレステリック液晶により形成されている。また、第２液晶層２２は、図７（ｂ）に示すように、表示したい文字や記号、図形、模様、絵柄等に合わせて形成され、第２表示部２２１を形成している。
この第２液晶層２２が表示する第２表示部２２１は、液晶層１２の表示部１２１と同様の形状（即ち、同様の文字や記号、図形、模様、絵柄等）及び色であってもよいし、形状は同様であって表示する色が異なる（即ち、液晶層１２と第２液晶層２２との液晶のらせんピッチや厚さが異なる）等してもよい。また、第２表示部２２１は、表示部１２１とは異なる形状及び色であってもよい。
本実施形態の第２液晶層２２は、一例として、その第２表示部２２１が、２つの矩形形状と文字「Ｂ」とを青色で表示する例を挙げて説明する。
【００４０】
この第２液晶層２２は、液晶の旋回方向が−Ｚ側から入射する右円偏光の回転方向と一致している。また、第２液晶層２２は、液晶のらせんピッチや層厚が、第２表示部２２１として表示したい青色光の波長領域に応じたものとなっている。
したがって、本実施形態の第２液晶層２２は、−Ｚ側から入射する青色光の波長領域の右円偏光を反射し、それ以外の波長領域の右円偏光と、左円偏光を透過する機能を有している。
【００４１】
第２保護層２１は、第２液晶層２２よりも−Ｚ側に設けられ、前述の保護層１１と同様に、この表示シート２０の−Ｚ側の面を平坦化し、保護する機能を有している。
本実施形態の第２保護層２１は、前述の保護層１１と同様の光透過性を有し、光に対して異方性を有していない材料によって形成されることが好ましい。なお、第２保護層２１は、保護層１１と同じ材料を用いて形成してもよいし、異なる材料を用いて形成してもよい。
【００４２】
図９は、第２実施形態の表示シート２０に入射する右円偏光及び左円偏光の様子を示す図である。図９（ａ）では、表示シート２０に＋Ｚ側から入射した右円偏光及び左円偏光について示し、図９（ｂ）では、表示シート２０に−Ｚ側から入射した右円偏光及び左円偏光について示している。
図９（ａ）に示すように、＋Ｚ側から表示シート２０に入射し、保護層１１を透過して液晶層１２に入射した右円偏光Ｌ１１は、赤色光の波長領域の光が液晶層１２で反射し、＋Ｚ側へ出射する。
また、液晶層１２で反射しなかった赤色光の波長領域以外の右円偏光Ｌ１１は、液晶層１２を透過し、第１の１／４波長位相差層１３を透過して直線偏光となり、偏光フィルタ層１４に入射して吸収される。
また、表示シート２０に対して＋Ｚ側から入射して、保護層１１を透過して液晶層１２に入射せずに第１の１／４波長位相差層１３に入射した右円偏光Ｌ３１は、第１の１／４波長位相差層１３を透過して直線偏光Ｌ３２となり、偏光フィルタ層１４に入射して吸収される。
【００４３】
また、図９（ａ）に示すように、＋Ｚ側から表示シート２０に入射し、保護層１１を透過して液晶層１２に入射した左円偏光Ｌ４１は、液晶層１２を透過し、第１の１／４波長位相差層１３に入射して直線偏光となり、偏光フィルタ層１４を透過し、第２の１／４波長位相差層１５を透過して右円偏光Ｌ４３となる。
右円偏光Ｌ４３の一部（Ｌ４３ａ）は、第２液晶層２２に入射する。第２液晶層２２の液晶の旋回方向と右円偏光Ｌ４３ａの回転方向とは逆であり、一致しないので、右円偏光Ｌ４３ａは、第２液晶層２２を透過し、第２保護層２１を透過して表示シート２０の−Ｚ側に出射する。
また、右円偏光Ｌ４３の一部（Ｌ４３ｂ）は、第２液晶層２２を透過せず、第２保護層２１を透過して表示シート２０の−Ｚ側に出射する。
【００４４】
＋Ｚ側から表示シート２０に入射して保護層１１を透過し、液晶層１２を透過しない左円偏光Ｌ２１は、第１の１／４波長位相差層１３に入射して直線偏光となり、偏光フィルタ層１４を透過し、第２の１／４波長位相差層１５を透過して右円偏光Ｌ２３となる。
右円偏光Ｌ２３の一部（Ｌ２３ｂ）は、第２液晶層２２に入射せず、そのまま第２保護層２１を透過して、表示シート２０の−Ｚ側に出射する。
また、右円偏光Ｌ２３の一部（Ｌ２３ａ）は、第２液晶層２２に入射する。第２液晶層２２の液晶の旋回方向と右円偏光Ｌ２３ａの回転方向とは逆であり、一致しないので、右円偏光Ｌ２３ａは、第２液晶層２２を透過し、第２保護層２１を透過して表示シート２０の−Ｚ側に出射する。
【００４５】
次に、図９（ｂ）に示すように、−Ｚ側から表示シート２０に入射し、第２保護層２１を透過して第２液晶層２２に入射した右円偏光Ｌ７１は、青色光の波長領域の光が第２液晶層２２で反射し、−Ｚ側へ出射する。
また、青色光の波長領域以外の右円偏光Ｌ７１は、第２液晶層２２を透過し、第２の１／４波長位相差層１５を透過して直線偏光となり、偏光フィルタ層１４に入射して吸収される。
また、−Ｚ側から表示シート２０に入射した右円偏光Ｌ５１は、第２保護層２１を透過し、第２液晶層２２を透過せずに第２の１／４波長位相差層１５に入射して直線偏光となり、偏光フィルタ層１４に入射して吸収される。
【００４６】
一方、−Ｚ側から表示シート２０に入射し、第２保護層２１を透過して第２液晶層２２を透過しない左円偏光Ｌ６１，Ｌ８１は、第２の１／４波長位相差層１５に入射して直線偏光となり、偏光フィルタ層１４を透過し、第１の１／４波長位相差層１３によって右円偏光Ｌ６３，Ｌ８３となる。
そして、右円偏光Ｌ６３は、液晶層１２を透過せずに、保護層１１を透過して表示シート２０の＋Ｚ側に出射する。また、右円偏光Ｌ８３は、液晶層１２に入射する。右円偏光Ｌ８３は、その進行方向において、回転方向が液晶層１２の液晶の旋回方向と逆であり、一致しない。したがって、この右円偏光Ｌ８３は、液晶層１２を透過し、保護層１１を透過して表示シート２０の＋Ｚ側に出射する。
【００４７】
また、−Ｚ側から表示シート２０に入射し、第２保護層２１を透過して第２液晶層２２に入射した左円偏光Ｌ１０１は、第２液晶層２２を透過し、第２の１／４波長位相差層１５に入射して直線偏光となり、偏光フィルタ層１４を透過し、第１の１／４波長位相差層１３によって右円偏光Ｌ１０３となる。
右円偏光Ｌ１０３の一部（Ｌ１０３ｂ）は、液晶層１２に入射せず、保護層１１を透過して表示シート２０の＋Ｚ側に出射する。また、右円偏光Ｌ１０３の一部（Ｌ１０３ａ）は、液晶層１２に入射する。右円偏光Ｌ１０３は、その進行方向において、回転方向が液晶層１２の液晶の旋回方向と逆であり、一致しない。したがって、右円偏光Ｌ１０３ａは、液晶層１２を透過し、保護層１１を透過して表示シート２０の＋Ｚ側に出射する。
【００４８】
上述のように、＋Ｚ側から入射した右円偏光は、液晶層１２で一部が反射し、残りは偏光フィルタ層１４によって吸収される。また、−Ｚ側から入射した右円偏光は、第２液晶層２２で一部が反射し、残りは偏光フィルタ層１４によって吸収される。
また、＋Ｚ側から入射した左円偏光は、液晶層１２及び第２液晶層２２の有無に関わらず−Ｚ側へ透過し、−Ｚ側から入射した左円偏光は、液晶層１２及び第２液晶層２２の有無に関わらず＋Ｚ側へ透過する。しかも、＋Ｚ側から入射した左円偏光が第２液晶層２２で反射したり、−Ｚ側から入射した左円偏光が液晶層１２で反射したりすることがない。
【００４９】
以上のことから、表示シート２０の＋Ｚ側に位置する観察者には、赤色の表示部１２１が視認されるが、第２表示部２２１は視認されない。また、表示シート２０の−Ｚ側に位置する観察者には、青色の第２表示部２２１が視認されるが、表示部１２１は視認されない。よって、表示シート２０の＋Ｚ側に位置する観察者は、表示部１２１を、表示シート２０の−Ｚ側に位置する観察者は、第２表示部２２１を、それぞれ明瞭に視認することができる。
また、表示シート２０の＋Ｚ側に位置する観察者には、表示シート２０は、表示部１２１以外の領域は透明に視認され、第２液晶層２２（第２表示部２２１）の有無に関係なく、表示シート２０越しに向こう側（−Ｚ側）の景色が良好に観察される。
そして、表示シート２０の−Ｚ側に位置する観察者には、表示シート２０は、第２表示部２２１以外の領域は透明に視認され、液晶層１２（表示部１２１）の有無に関係なく、表示シート２０越しに向こう側（＋Ｚ側）の景色が良好に観察される。
【００５０】
よって、本実施形態によれば、表示シート２０の両面で異なる表示を行うことができ、かつ、高い透明性を維持した表示シート２０、表示体１とすることができる。
なお、本実施形態の表示シート２０は、保護層１１又は第２保護層２１のいずれか一方を、光透過性を有する粘着剤等により形成された接合層とし、その接合層を介して透明板５０に接合してもよい。
【００５１】
（第３実施形態）
図１０は、第３実施形態の表示シート３０を説明する図である。図１０（ａ）では、表示シート３０を＋Ｚ側から見た平面図を示し、図１０（ｂ）では、図１０（ａ）に一点鎖線で示されるＹ方向に平行な直線Ａ３及び厚み方向（Ｚ方向）に平行な断面での断面を示している。
第３実施形態の表示シート３０は、液晶層１２に替えて、液晶層３２を備えている点以外は、前述の第１実施形態の表示シート１０と同様の形態である。したがって、前述した第１実施形態と同様の機能を果たす部分には、同一の符号又は末尾に同一の符号を付して、重複する説明を適宜省略する。
表示シート３０は、図１０（ｂ）に示すように、＋Ｚ側から順に、保護層１１、液晶層３２、第１の１／４波長位相差層１３、偏光フィルタ層１４、第２の１／４波長位相差層１５を備えている。
この表示シート３０は、第１実施形態に示した表示体１に適用可能である。また、本実施形態では、表示部３２１は、複数色の矩形形状等の図形である例を示している。
【００５２】
液晶層３２は、所定の複数の波長領域の右円偏光を反射する層であり、赤色光領域の右円偏光を反射する層３２Ｒ、緑色光領域の右円偏光を反射する層３２Ｇ、青色光領域の右円偏光を反射する層３２Ｂを備えている。各層３２Ｒ，３２Ｇ，３２Ｂは、それぞれ、反射光の色に合わせた厚みとなっている。
これらの層３２Ｒ，３２Ｇ，３２Ｂは、それぞれ第１の１／４波長位相差層１３の＋Ｚ側の少なくとも一部に形成され、表示部３２１を形成している。
これらの層３２Ｒ，３２Ｇ，３２Ｂは、単層で配置されたり、その一部が他の層と積層されて配置されたりしている。２層以上積層された領域では、積層された層の反射光の光色が混ざって表示される。
【００５３】
即ち、図１０（ｂ）に示す領域Ｒ１（層３２Ｒのみ）に相当する表示部３２１の領域では、赤色が表示される。また、領域Ｒ３（層３２Ｇのみ）に相当する表示部３２１の領域では、緑色が表示される。領域Ｒ７（層３２Ｂのみ）に相当する表示部３２１の領域では、青色が表示される。
領域Ｒ２（層３２Ｒ及び層３２Ｇが積層）に相当する表示部３２１の領域では、黄色が表示される。領域Ｒ５（層３２Ｒ及び層３２Ｂが積層）に相当する表示部３２１の領域では、赤紫色（マゼンタ）が表示される。領域Ｒ６（層３２Ｇ及び層３２Ｂが積層）に相当する表示部３２１の領域では、青緑色（シアン）が表示される。領域Ｒ４（層３２Ｒ，３２Ｇ，３２Ｂが積層）に相当する表示部３２１の領域では、白色が表示される。
【００５４】
なお、図１０（ｂ）では、領域Ｒ３の層３２Ｇや領域Ｒ７の層３２Ｂが、第１の１／４波長位相差層１３よりもＺ方向に離れて位置するように図示しているが、実際は、第１の１／４波長位相差層１３の＋Ｚ側表面に積層されている。
また、層３２Ｒ，３２Ｇ，３２ＢのＺ方向における位置や積層順は、適宜変更してもよい。
【００５５】
以上のことから、本実施形態によれば、液晶層３２の各層３２Ｒ，３２Ｇ，３２Ｂを適宜積層して配置したり、単層で配置したりすることにより、表示部３２１が複数の色による表示を行え、表示シート３０の意匠性の向上や表示部３２１の視認性を向上させることができる。
また、液晶層３２は、表示部３２１の表示したい色に合わせて、各層３２Ｒ，３２Ｇ，３２Ｂを適宜積層したり、単層で配置したりするので、各色に合わせた液晶層を個々に作成し、それぞれを単層で配置する場合に比べて、液晶のらせんピッチや層の厚みの調整等が容易であり、製造が容易に行える。
【００５６】
なお、第３実施形態において、液晶層３２と同様な液晶層を、第２の１／４波長位相差層１５の−Ｚ側に設けて、−Ｚ側の表示部も多色表示としてもよい。この場合、その液晶層が形成する表示部は、表示部３２１と同じとしてもよいし、異なる文字や記号、図形、模様、絵柄等を表示してもよいし、色が異なっていてもよい。
また、第３実施形態において、前述の第２実施形態の第２液晶層２２と同様な液晶層を、第２の１／４波長位相差層１５の−Ｚ側に設けて、−Ｚ側の表示部を単色表示としてもよい。
【００５７】
（第４実施形態）
図１１は、第４実施形態の表示シート４０を説明する図である。図１１（ａ）では、表示シート４０を＋Ｚ側から見た平面図を示し、図１１（ｂ）では、図１１（ａ）に一点鎖線で示されるＹ方向に平行な直線Ａ４及び厚み方向（Ｚ方向）に平行な断面での断面を示している。
第４実施形態の表示シート４０は、第２の１／４波長位相差層１５を備えていない点が異なる以外は、前述の第１実施形態の表示シート１０と同様の形態である。したがって、前述した第１実施形態と同様の機能を果たす部分には、同一の符号又は末尾に同一の符号を付して、重複する説明を適宜省略する。
表示シート４０は、図１１に示すように、＋Ｚ側から順に、保護層１１、液晶層１２、第１の１／４波長位相差層１３、偏光フィルタ層１４を備えている。
この表示シート４０は、第１実施形態に示した表示体１に適用可能である。
このような形態とすることにより、＋Ｚ側から表示シート４０を見た場合には、良好に表示部１２１が視認される。また、−Ｚ側から表示シート４０を見た場合には、表示部１２１は市に視認されず、表示シート４０を通して向こう側（＋Ｚ側）の景色を視認できる。
【００５８】
（変形形態）
以上説明した各実施形態に限定されることなく、種々の変形や変更が可能であって、それらも本発明の範囲内である。
（１）各実施形態において、表示シート１０，２０，３０，４０の表面に紫外線吸収層を設けて、液晶層１２，２２，３２等の劣化抑制を図ってもよい。このような紫外線吸収層は、表示シート１０，２０，３０，４０の＋Ｚ側表面及び−Ｚ側表面に形成してもよいし、＋Ｚ側又は−Ｚ側の太陽光等の紫外線が含まれる光が多く入射する側の表面に設けてもよい。
なお、紫外線吸収層に限らず、例えば、反射防止層や、防汚層、帯電防止層等の各種機能を有する層を、表示シート１０，２０，３０，４０の表面に適宜設けてもよい。
【００５９】
（２）各実施形態において、液晶層１２は、例えば、凹凸形状を有する透明かつ異方性を有しない基材上に、所定の膜厚を一定に有したまま凹凸に沿って形成されていてもよい。このような凹凸形状により、液晶層１２で反射される光が拡散され、表示部１２１を視認できる範囲をさらに広げることができる。なお、第２実施形態に示す第２液晶層２２や第３実施形態に示す液晶層３２についても同等である。
【００６０】
（３）各実施形態において、液晶層１２，３２、第２液晶層２２は、表示シート１０をＺ方向から見た面全面に形成されていてもよい。
【００６１】
（４）各実施形態において、表示シート１０，２０，３０，４０を備える表示体１は、店舗等のショーウィンドウである例を示したが、これに限らず、例えば、室内用のパーテーションや、サングラスのレンズ部分、サンバイザーのつば部分等としてもよい。
また、表示体１の透明板５０は、無色透明な板部材としてもよいし、有色透明な板部材としてもよい。
【００６２】
（５）第２実施形態において、表示シート２０は、保護層１１及び第２保護層２１の双方を、光透過性を有する接合層として、これら接合層を介して両面にガラス板等の透明板を貼りつけた形態としてもよい。このような形態とした場合には、室内用のパーテーション等に好適である。
【００６３】
（６）各実施形態において、保護層１１が光に対して異方性を有する場合、保護層１１の位相差を調整する調整層が保護層１１よりも光の入射側となる＋Ｚ側に設けられていてもよい。
このような調整層を設けることにより、調整層及び保護層１１を透過しても、透過前の偏光状態を維持することができ、保護層１１の光に対する異方性によって偏光状態が変化すること起因する液晶層１２での反射光の光量低下等を抑制することができる。
なお、第２実施形態に示す第２保護層２１に関しても上述のような調整層を設けて、第２液晶層２２での反射光の光量低下等の抑制を図ってよい。
【００６４】
（７）第３実施形態において、液晶層３２は、３つの層３２Ｒ，３２Ｇ，３２Ｂが適宜積層されており、表示部３２１は、複数色によるカラー表示を行う例を示したが、これに限らず、例えば、表示したい各色に合わせた層を複数形成し、それらを単層で配置して表示する形態としてもよい。
【００６５】
なお、本実施形態及び変形形態は、適宜組み合わせて用いることもできるが、詳細な説明は省略する。また、本発明は以上説明した各実施形態によって限定されることはない。
【符号の説明】
【００６６】
１    表示体
１０，２０，３０，４０    表示シート
１１    保護層
１２，３２    液晶層
１２１，３２１    表示部
１３    第１の１／４波長位相差層
１４    偏光フィルタ層
１５    第２の１／４波長位相差層
２１    第２保護層
２２    第２液晶層
２２１    第２表示部
５０    透明板
【図１】
2018004677.tif 000003
【図２】
2018004677.tif 000004
【図３】
2018004677.tif 000005
【図４】
2018004677.tif 000006
【図５】
2018004677.tif 000007
【図６】
2018004677.tif 000008
【図７】
2018004677.tif 000009
【図８】
2018004677.tif 000010
【図９】
2018004677.tif 000011
【図１０】
2018004677.tif 000012
【図１１】
2018004677.tif 000013